(57)【要約】【課題】  携帯電話機の視認性・操作性を損わず、十分な電磁波遮蔽性を発揮することができ、汎用性に富む構造を備えた携帯電話機用電磁波シールドカバーを提供する。【解決手段】  携帯電話機２に対応した形状寸法を有する柔軟な薄板体の形態とされたカバー本体１１内部に、導電性材料からなる薄板状の電磁波遮蔽板１２、１３が内装され、またカバー本体１１の所定箇所が携帯電話機２に位置決め固定される位置決め固定部１４とされている。位置決め固定部１４が携帯電話機２に位置決め固定された状態において、カバー本体１１は、位置決め固定部１４を固定支点として携帯電話機２の前面または背面に選択的に重ね被覆可能とされ、カバー本体１１が携帯電話機２前面に重ね被覆された時、電磁波遮蔽板１２、１３が携帯電話機２の電磁波発生箇所に対応位置する。【選択図】  図３
2005277586.tif 000002
【特許請求の範囲】
【請求項１】
携帯電話機を被覆して携帯電話機から発生する電磁波を遮蔽する電磁波シールドカバーであって、
携帯電話機に対応した形状寸法を有する柔軟な薄板体の形態とされたカバー本体の内部に、電磁波遮蔽材料からなる電磁波遮蔽体が内装されてなるとともに、前記カバー本体の所定箇所が前記携帯電話機に位置決め固定される位置決め固定部とされ、
この位置決め固定部が前記携帯電話機の表面適所に位置決め固定された状態において、前記カバー本体は、前記位置決め固定部を固定支点として前記携帯電話機の前面または背面に対して選択的に重ね被覆可能な構造とされ、
少なくとも、前記カバー本体が前記携帯電話機の前面に重ね被覆された時、前記電磁波遮蔽体が前記携帯電話機の電磁波発生箇所に対応位置するように構成されている
ことを特徴とする携帯電話機用電磁波シールドカバー。
【請求項２】
前記電磁波遮蔽材料が導電性材料であることを特徴とする請求項１に記載の携帯電話機用電磁波シールドカバー。
【請求項３】
前記電磁波遮蔽材料が電磁波吸収材料であることを特徴とする請求項１に記載の携帯電話機用電磁波シールドカバー。
【請求項４】
前記電磁波遮蔽体が薄板状の電磁波遮蔽板の形態とされていることを特徴とする請求項１から３のいずれか一つに記載の携帯電話機用電磁波シールドカバー。
【請求項５】
前記電磁波遮蔽体が蛇腹状に折り畳み可能に配された複数枚の短冊形電磁波遮蔽板からなることを特徴とする請求項１から３のいずれか一つに記載の携帯電話機用電磁波シールドカバー。
【請求項６】
前記電磁波遮蔽体がすだれ状に配された多数本の細径の電磁波遮蔽棒からなることを特徴とする請求項１から３のいずれか一つに記載の携帯電話機用電磁波シールドカバー。
【請求項７】
携帯電話機の横幅寸法に対応した幅寸法を有する長尺な帯状体の形態とされた前記カバー本体の内部に、前記電磁波遮蔽体が内装されてなるとともに、前記カバー本体の長手方向の所定箇所が前記携帯電話機に位置決め固定される位置決め固定部とされ、
この位置決め固定部が前記携帯電話機の表面適所に位置決め固定された状態において、前記カバー本体は、前記位置決め固定部を固定支点として前記携帯電話機の前面または背面に対して選択的に重ね被覆可能な構造とされ、
前記カバー本体が前記携帯電話機の前面に重ね被覆された時、前記電磁波遮蔽体が前記携帯電話機の電磁波発生箇所に対応位置するように構成されている
ことを特徴とする請求項１に記載の携帯電話機用電磁波シールドカバー。
【請求項８】
携帯電話機の縦長さ寸法に対応した長さ寸法を有する矩形状薄板の形態とされた前記カバー本体の内部に、前記電磁波遮蔽体が内装されてなるとともに、前記カバー本体の幅方向の所定箇所が前記携帯電話機に位置決め固定される位置決め固定部とされ、
この位置決め固定部が前記携帯電話機の表面適所に位置決め固定された状態において、前記カバー本体は、前記位置決め固定部を固定支点として前記携帯電話機の前面または背面に対して選択的に重ね被覆可能な構造とされ、
前記カバー本体が前記携帯電話機の前面に重ね被覆された時、前記電磁波遮蔽体が前記携帯電話機の電磁波発生箇所に対応位置するように構成されている
ことを特徴とする請求項１に記載の携帯電話機用電磁波シールドカバー。
【請求項９】
前記カバー本体は、前記携帯電話機のほぼ前面全体を重ね被覆可能な長さ寸法を有するとともに、その一端部に前記位置決め固定部が設けられてなり、
この位置決め固定部が前記携帯電話機の背面上部位置に位置決め固定される構造とされている
ことを特徴とする請求項７に記載の携帯電話機用電磁波シールドカバー。
【請求項１０】
前記カバー本体は、前記携帯電話機のほぼ前面と背面の全体を重ね被覆可能な長さ寸法を有するとともに、その長手方向の適所に前記位置決め固定部が設けられてなり、
この位置決め固定部が前記携帯電話機の背面の適所に位置決め固定される構造とされている
ことを特徴とする請求項７に記載の携帯電話機用電磁波シールドカバー。
【請求項１１】
前記カバー本体が前記携帯電話機の前面に重ね被覆された状態において、前記電磁波遮蔽板が前記携帯電話前面の操作部を重ね被覆するように対応位置するように構成されている
ことを特徴とする請求項７または８に記載の携帯電話機用電磁波シールドカバー。
【請求項１２】
前記カバー本体が前記携帯電話機の前面に重ね被覆された状態において、前記電磁波遮蔽体が前記携帯電話機前面の表示部を重ね被覆するように対応位置するように構成されている
ことを特徴とする請求項７または８に記載の携帯電話機用電磁波シールドカバー。
【請求項１３】
前記カバー本体が前記携帯電話機の前面に重ね被覆された状態において、前記電磁波遮蔽体が前記携帯電話機前面の操作部および表示部を重ね被覆するように対応位置するように構成されている
ことを特徴とする請求項７または８に記載の携帯電話機用電磁波シールドカバー。
【請求項１４】
前記カバー本体の前記携帯電話機背面を重ね被覆する部位に前記電磁波遮蔽体が内装されている
ことを特徴とする請求項８または１０に記載の携帯電話機用電磁波シールドカバー。
【請求項１５】
前記カバー本体は、通気性のある柔軟性素材からなることを特徴とする請求項７から１４のいずれか一つに記載の携帯電話機用電磁波シールドカバー。
【請求項１６】
前記カバー本体は、２枚の布生地が積層形成されてなり、これら２枚の布生地の間に、前記電磁波遮蔽体が挟持状に内装されている
ことを特徴とする請求項１５に記載の携帯電話機用電磁波シールドカバー
【請求項１７】
前記カバー本体は、２枚の布生地が積層形成されてなり、これら２枚の布生地の間に、前記電磁波遮蔽体を収納する複数の収納ポケットが形成され、
これら複数の収納ポケットのいずれかに、前記電磁波遮蔽体が選択的にかつ取外し可能に収納される構造とされている
ことを特徴とする請求項１５に記載の携帯電話機用電磁波シールドカバー
【請求項１８】
前記カバー本体の位置決め固定部に、前記携帯電話機の表面に固定するための固定手段が設けられていることを特徴とする請求項７から１７のいずれか一つに記載の携帯電話機用電磁波シールドカバー。
【請求項１９】
前記固定手段が面状ファスナーであることを特徴とする請求項１８に記載の携帯電話機用電磁波シールドカバー。
【請求項２０】
前記固定手段が粘着テープ材であることを特徴とする請求項１８に記載の携帯電話機用電磁波シールドカバー。
【発明の詳細な説明】
【技術分野】
【０００１】
この発明は、携帯電話機用電磁波シールドカバーに関し、さらに詳細には、携帯電話機の通話中において、この携帯電話機から発生する電磁波が使用者の人体に及ぼす影響を防止するための電磁波シールド技術に関する。
【背景技術】
【０００２】
携帯電話機（ＰＨＳ含む）は、その小型軽量性から常に身につけて持ち歩くことができるとともに、その簡便性から自由に通話することができることから、用途としてビジネスとプライベートとを問わず、また利用者層も老若男女を問わず使用されることが多く、近年の急激な普及率には目を見張るものがある。これと並行して、携帯電話機より発生する電磁波（マイクロ波）の人体組織に及ぼす影響が電磁波生体効果として問題となっている。
【０００３】
すなわち、携帯電話機の使用時特に通話中は、携帯電話機を使用者の耳に押し当てて、つまり頭部に接触させた状態で使用されるところ、電話機本体およびアンテナからは電磁波が発生しており、人体特にその頭部細胞組織には大量の電磁波が照射吸収されることとなる。これがため、電磁波による精神的ストレス障害、視覚障害、皮膚障害あるいは脳腫瘍などが引き起こされる可能性が高く、これら人体への影響を問題視し危惧する研究結果が世界各国の専門家や有識者から多数報告されている。
【０００４】
これらの報告に呼応して、近時、携帯電話機から発生する電磁波の使用者の人体に与える影響を軽減し、ないしは消滅させるための電磁波遮蔽（シールド）技術についての研究開発が盛んに行われており、その成果として、種々のシールド技術が既に提案されないしは実用化されるに至っている。
【０００５】
この種の電磁波シールド技術の一例として、特許文献１および特許文献２に記載されるような電磁波シールドケースが挙げられる。
【０００６】
いずれのシールドケースも具体的には図示しないが、特許文献１のシールドケースは、絶縁性部材からなり、その内部に携帯電話機が収納されるポケット構造を備えるとともに、携帯電話機の液晶表示部とボタン操作部を覆う前面部が、電磁波防止効果を有する柔軟性のある透明シートで形成されている。また、後者の特許文献２のシールドケースは、柔軟性を有する電磁波遮断材で形成され、携帯電話機を収納するポケットの前面に、やはり液晶表示部とボタン操作部用の開口が、カバーにより開閉可能に設けられるとともに、上記ポケットの前面と連続して、このポケットの開口部を覆う反射板が開閉自在に設けられてなる。
【０００７】
しかしながら、これらいずれのシールドケースも、携帯電話機を収納するポケット形状とされて、携帯電話機のほぼ全体を包む構造とされているところ、携帯電話機にも種々のものがあり、例えば、液晶表示部とボタン操作部とが電話機本体に一体に設けられた一体式携帯電話機と、これら両部が電話機本体と蓋体に別個独立して設けられた折畳み式携帯電話機とでは、その形状寸法が異なることから、各種携帯電話機ごとの専用のシールドケースを設計する必要があり、このような多品種少量生産を余儀なくする構造が製造コストおよび製品コストの上昇を招いていた。
【０００８】
また、いずれのシールドケースも、携帯電話機の操作性に配慮した構造とされ、前者の特許文献１に記載のシールドケースにあっては、液晶表示部およびボタン操作部を目視可能でかつ透明シートを介してボタン操作部を間接的に操作でき、一方、後者の特許文献２に記載のシールドケースにあっては、上記開口を介してボタン操作部を直接操作できるようにされている。しかし、いずれのシールドケースにしても、携帯電話機のほぼ全体を包む構造とされていることから、快適な操作性は望めないばかりか、誤操作の可能性も完全に回避することはできなかった。
【０００９】
さらに、上記両シールドカバーをはじめとして、従来のこの種のシールドカバーやシートは、いずれも電磁波遮蔽性を有する薄板状部材から形成されているところ、これら薄板状部材は、透明シート材料に導電性材料が練り込まれたり、合成樹脂シート等の表面に導電性材料がコーティング処理されてなるもので、その電磁波遮蔽効果が弱く、さらなる改良が要望されていた。
【特許文献１】特開平１０−２７６８１７号公報
【特許文献２】特開平１０−９９１１８号公報
【発明の開示】
【発明が解決しようとする課題】
【００１０】
本発明は、かかる従来の問題点に鑑みてなされたものであって、その目的とするところは、携帯電話機の液晶表示部およびボタン操作部の視認性・操作性を損なうことなく、通話中において十分な電磁波遮蔽性を発揮することがで、しかも各種電話機に共通して適用可能な汎用性に富む構造を備えた携帯電話機用電磁波シールドカバーを提供することにある。
【課題を解決するための手段】
【００１１】
上記目的を達成するため、本発明の携帯電話機用電磁波シールドカバーは、携帯電話機を被覆して携帯電話機から発生する電磁波を遮蔽するものであって、携帯電話機に対応した形状寸法を有する柔軟な薄板体の形態とされたカバー本体の内部に、電磁波遮蔽材料からなる薄板状の電磁波遮蔽体が内装されてなるとともに、上記カバー本体の所定箇所が上記携帯電話機に位置決め固定される位置決め固定部とされ、この位置決め固定部が上記携帯電話機の表面適所に位置決め固定された状態において、上記カバー本体は、上記位置決め固定部を固定支点として上記携帯電話機の前面または背面に対して選択的に重ね被覆可能な構造とされ、少なくとも、上記カバー本体が上記携帯電話機の前面に重ね被覆された時、上記電磁波遮蔽体が上記携帯電話機の電磁波発生箇所に対応位置するように構成されていることを特徴とし、具体的には次のような２態様の構成がある。
【００１２】
第一の具体的構成は、携帯電話機の横幅寸法に対応した幅寸法を有する長尺な帯状体の形態とされた上記カバー本体の内部に、上記電磁波遮蔽体が内装されてなるとともに、上記カバー本体の長手方向の所定箇所が上記携帯電話機に位置決め固定される位置決め固定部とされ、この位置決め固定部が上記携帯電話機の表面適所に位置決め固定された状態において、上記カバー本体は、上記位置決め固定部を固定支点として上記携帯電話機の前面または背面に対して選択的に重ね被覆可能な構造とされ、上記カバー本体が上記携帯電話機の前面に重ね被覆された時、上記電磁波遮蔽体が上記携帯電話機の電磁波発生箇所に対応位置するように構成される。
【００１３】
第二の具体的構成は、携帯電話機の縦長さ寸法に対応した長さ寸法を有する矩形状薄板の形態とされた上記カバー本体の内部に、上記電磁波遮蔽体が内装されてなるとともに、上記カバー本体の幅方向の所定箇所が上記携帯電話機に位置決め固定される位置決め固定部とされ、この位置決め固定部が上記携帯電話機の表面適所に位置決め固定された状態において、上記カバー本体は、上記位置決め固定部を固定支点として上記携帯電話機の前面または背面に対して選択的に重ね被覆可能な構造とされ、上記カバー本体が上記携帯電話機の前面に重ね被覆された時、上記電磁波遮蔽体が上記携帯電話機の電磁波発生箇所に対応位置するように構成される。
【００１４】
好適な実施態様として、上記カバー本体は、上記携帯電話機のほぼ前面全体を重ね被覆可能な長さ寸法を有するとともに、その一端部に上記位置決め固定部が設けられてなり、この位置決め固定部が上記携帯電話機の背面上部位置に位置決め固定される構造とされる。あるいは、上記カバー本体は、上記携帯電話機のほぼ前面と背面の全体を重ね被覆可能な長さ寸法を有するとともに、その長手方向の適所に上記位置決め固定部が設けられてなり、この位置決め固定部が上記携帯電話機の背面の適所に位置決め固定される構造とされる。
【００１５】
また、上記電磁波遮蔽材料としては、導電性材料または電磁波吸収材料が好適に用いられる。
【００１６】
さらに、上記電磁波遮蔽体の具体的構成としては、(i)薄板状の電磁波遮蔽板の形態とされる、(ii)蛇腹状に折り畳み可能に配された複数枚の短冊形電磁波遮蔽板からなる、および(iii)すだれ状に配された多数本の細径の電磁波遮蔽棒からなる。
【００１７】
また、上記電磁波遮蔽体の配設構成としては、例えば以下の態様がある。
（１）上記カバー本体が上記携帯電話機の前面に重ね被覆された状態において、上記電磁波遮蔽体が上記携帯電話前面の操作部を重ね被覆するように対応位置するように構成される。
【００１８】
（２）上記カバー本体が上記携帯電話機の前面に重ね被覆された状態において、上記電磁波遮蔽体が上記携帯電話機前面の表示部を重ね被覆するように対応位置するように構成さる。
【００１９】
（３）上記カバー本体が上記携帯電話機の前面に重ね被覆された状態において、上記電磁波遮蔽体が上記携帯電話機前面の操作部および表示部を重ね被覆するように対応位置するように構成される。
【００２０】
さらに、上記後者のカバー本体が上記携帯電話機のほぼ前面と背面の全体を重ね被覆可能な長さ寸法を有する場合においては、上記カバー本体の上記携帯電話機背面を重ね被覆する部位に上記電磁波遮蔽体が内装されてもよい。
【００２１】
また、上記カバー本体は、望ましくは通気性のある柔軟性素材からなる。この場合、例えば、上記カバー本体が２枚の布生地を積層形成されてなり、これら２枚の布生地の間に、上記電磁波遮蔽体が挟持状に内装される。あるいは、上記カバー本体が２枚の布生地を積層形成されてなり、これら２枚の布生地の間に、上記電磁波遮蔽体を収納する複数の収納ポケットが形成され、これら複数の収納ポケットのいずれかに、上記電磁波遮蔽体が選択的にかつ取外し可能に収納される構造とされる。
【００２２】
さらに、上記カバー本体の位置決め固定部には、上記携帯電話機の表面に固定するための固定手段が設けられ、この固定手段としては、面状ファスナーや粘着テープ材が好適に採用される。
【発明の効果】
【００２３】
すなわち、本発明によれば、携帯電話機に対応した形状寸法を有する柔軟な薄板体の形態とされたカバー本体の内部に、電磁波遮蔽材料からなる薄板状の電磁波遮蔽体が内装されてなるとともに、上記カバー本体の所定箇所が上記携帯電話機に位置決め固定される位置決め固定部とされ、この位置決め固定部が上記携帯電話機の表面適所に位置決め固定された状態において、上記カバー本体は、上記位置決め固定部を固定支点として上記携帯電話機の前面または背面に対して選択的に重ね被覆可能な構造とされ、少なくとも、上記カバー本体が上記携帯電話機の前面に重ね被覆された時、上記電磁波遮蔽体が上記携帯電話機の電磁波発生箇所に対応位置するように構成されているから、以下のように特有の優れた効果が発揮され得る。
【００２４】
（ａ）通話中において十分な電磁波遮蔽性を発揮する。
カバー本体の内部に内装される電磁波遮蔽体が導電性金属板そのもので構成されているから、その電磁波遮蔽効果が非常に強く、しかも、これら電磁波遮蔽体は、上記カバー本体が携帯電話機の前面に重ね被覆された時に、携帯電話機の電磁波発生箇所に対応位置するように構成されているから、携帯電話機の通話中において、これら電磁波遮蔽体が携帯電話機と使用者の頭部との間に介在することになる。
【００２５】
これにより、電話機本体やアンテナから発生する電磁波は、上記電磁波遮蔽体により確実に減衰されないしは遮断されて、使用者の頭部細胞組織に到達することはなく、電磁波による精神的ストレス障害、視覚障害、皮膚障害あるいは脳腫瘍などが引き起こされる危険性が確実に回避される。
【００２６】
（ｂ）携帯電話機の表示部および操作部の視認性・操作性を損なうことがない。
上記カバー本体は、携帯電話機に位置決め固定される位置決め固定部を固定支点として、上記携帯電話機の前面または背面に対して選択的に重ね被覆可能な構造とされているから、携帯電話機の表示部を見たり、あるいは表示部を見ながら操作部を操作する際には、上記カバー本体を携帯電話機の背面に重ねておくことができ、表示部の視認性および操作部の操作性が極めて良好であり、これら視認性や操作性に基づく誤操作の危険性もまったくない。
【００２７】
（ｃ）各種電話機に共通して適用可能で汎用性に富む。
カバー本体が携帯電話機に対応した形状寸法を有する柔軟な薄板体の形態とされるとともに、このカバー本体の所定箇所が携帯電話機に位置決め固定される位置決め固定部とされているから、携帯電話機の種類や形状寸法のいかんに関わらず、例えば、表示部と操作部とが電話機本体に一体に設けられた一体式携帯電話機であると、これら両部が電話機本体と蓋体に別個独立して設けられた折畳み式携帯電話機とであるとを問わず、上記位置決め固定部を、適用対象である携帯電話機表面の最適な個所に位置決め固定することができる。
【００２８】
この結果、上記電磁波遮蔽体は、上記カバー本体が携帯電話機の前面に重ね被覆された時に、携帯電話機の電磁波発生箇所に正確に対応して配置されることとなり、電磁波遮蔽体の電磁波遮蔽効果を常時安定して発揮させることができる。
【発明を実施するための最良の形態】
【００２９】
以下、本発明の実施形態を図面に基づいて詳細に説明する。
【００３０】
実施形態１
本発明に係る携帯電話機用の電磁波シールドカバーを図１〜図４に示し、このシールドカバー１は、図示の実施形態においては折畳み式携帯電話機２に使用されている。
【００３１】
この折畳み式携帯電話機２は、電話機本体３と蓋体４が、支軸５を開閉中心として、使用時には、図２および図３に示すように開放状態とされるとともに、不使用時には図４に示すように閉止状態に折り畳まれる構造とされている。上記電話機本体３の前面には、各種の操作ボタン類が配されたボタン操作部（操作部）６と、音声入力部としてのマイク７とが設けられるとともに、その側部に送受信用のアンテナ８が設けている。また、上記蓋体４の前面には、各種情報を表示する液晶表示部（表示部）９と、音声出力部としてのスピーカ１０とが設けられている。
【００３２】
電磁波シールドカバー１は、携帯電話機２に対応した形状寸法を有する柔軟な薄板体の形態とされたカバー本体１１の内部に、電磁遮蔽体としての電磁波遮蔽板１２、１３が内装されてなるとともに、カバー本体１１の所定箇所に位置決め固定部１４が設けられてなる。図示の実施形態においては、カバー本体１１の幅寸法は、上記携帯電話機２の幅に対応した形状寸法を有する柔軟な薄板体の形態とされている。
【００３３】
図示の実施形態のシールドカバー１においては、カバー本体１１が携帯電話機２の横幅寸法に対応した幅寸法を有する長尺な薄肉帯状体の形態とされている。具体的には、図示のごとく、カバー本体１１の幅寸法が上記携帯電話機２の横幅寸法とほぼ等しく設定されて、アンテナ８が側方に若干突出する形態とされている。また、カバー本体１１の長さ寸法は、開放状態にある携帯電話機２のほぼ前面全体を重ね被覆可能な大きさに設定されている（図３(a)、(b)参照）。なお、図示の実施形態のシールドカバー１は、携帯電話機２の電話機本体３の下端部分を被覆していないが、この下端部分を含めて電話機本体３の前面全体を重ね被覆する長さ寸法としても良い。
【００３４】
カバー本体１１の構成材料としては、柔軟性のある薄手の素材であればよく、天然繊維、合成繊維からなる織布や不織布などの布製素材、あるいは柔軟性を有する合成樹脂製シートなどが好適に使用される。また、これら素材表面や繊維に、銅めっきやニッケルめっき等の導電性金属めっきなど、適宜の導電性処理が施されて、カバー本体１１自体も電磁波遮蔽効果を発揮するようにしても良い。
【００３５】
図示の実施形態のカバー本体１１は、通気性のある柔軟性素材として帯状の布生地が用いられ、具体的には、２枚の布生地１１ａ、１１ｂが重ね合わせられて積層状に縫製されてなるとともに、これら２枚の布生地１１ａ、１１ｂの間に、電磁波遮蔽板１２、１３が挟持状に内装固定されている。
【００３６】
電磁波遮蔽板１２、１３は、電磁波遮蔽材料からなる薄板状のもので、遮蔽対象となる携帯電話機２の電磁波発生箇所に対応した形状寸法に形成されている。電磁波遮蔽材料としては、銅や鉛などの導電性金属等の電磁波減衰特性に優れる導電性材料や、トルマリン（電気石）や磁性材料等の電磁波吸収特性に優れる電磁波吸収材料が好適に用いられる。図示の実施形態の電磁波遮蔽板１２、１３は、極薄の鉛板材が用いられている。
【００３７】
これら電磁波遮蔽板１２、１３は、遮蔽対象となる携帯電話機２の電磁波発生箇所に対応した形状寸法を有する矩形状に形成されている。図示の実施形態においては、図３(a)において破線状のハッチングで示されるように、電磁波遮蔽板１２が、電話機本体３のボタン操作部６に対応した形状寸法とされるとともに、電磁波遮蔽板１３が、蓋体４の液晶表示部９に対応した形状寸法とされている。
【００３８】
また、上記カバー本体１１における電磁波遮蔽板１２、１３の収納固定位置も、後述するようにカバー本体１１が携帯電話機２の前面に重ね被覆された状態において、図３(a)において破線状のハッチングで示されるように、記電磁波遮蔽板１２、１３がそれぞれボタン操作部６と液晶表示部９をそれぞれ重ね被覆する位置に設定されている。
【００３９】
位置決め固定部１４は、カバー本体１１の長手方向の所定箇所を携帯電話機２に位置決め固定する部位で、図示の実施形態においては、長尺なカバー本体１１の形状に対応して、その一端部に設けられるとともに、携帯電話機２の背面上部位置に位置決め固定される構造とされている。
【００４０】
位置決め固定部１４には、携帯電話機２の前面および背面を含む表面適所に固定するための固定手段１５が設けられており、図示の実施形態においては、上記固定手段１５として面状ファスナーが接着ないしは縫着固定されている。これに対応して、携帯電話機２の表面適所、具体的には蓋体４の背面上部位置にも、面状ファスナー１５と対になって着脱可能に係合する面状ファスナー１６が接着固定されている。
【００４１】
なお、上記位置決め固定部１４は、カバー本体１１の長手方向の寸法調整部としても機能する。つまり、位置決め固定部１４は、上記２枚の布生地１１ａ、１１ｂで構成されて、柔軟性を有するとともに通気性を有しており、カバー本体１１の長手方向において、その面状ファスナー１５と携帯電話機２の面状ファスナー１６との係合位置を適宜調整することにより、図３(a)および(b)に示すように、カバー本体１１が携帯電話機２の前面に重ね被覆された状態において、電磁波遮蔽板１２、１３が、携帯電話機２前面のボタン操作部６および液晶表示部９をそれぞれ正確に重ね被覆するように対応位置させることができる。また、位置決め固定部１４がスピーカ１０を覆う位置に配置調整される場合でも、通気性を有するため、スピーカ１０からの音声出力を阻害することはない。
【００４２】
また、上記位置決め固定部１４が設けられたカバー本体１１の反対側端部にも、位置決め固定部１４と同様に、面状ファスナー１７が接着ないしは縫着固定されている。これに対応して、携帯電話機２の蓋体４の背面下部位置にも、面状ファスナー１７と対になって着脱可能に係合する面状ファスナー１８が接着固定されている。
【００４３】
そして、携帯電話機２の不使用時において、携帯電話機２が図４に示すように二つ折りの閉止状態に折り畳まれた時、シールドカバー１が、携帯電話機２の外周に巻き付けられて固定され、これにより携帯電話機２の保護カバーとして機能する。
【００４４】
しかして、以上のように構成された電磁波シールドカバー１は、位置決め固定部１４の面状ファスナー１５を携帯電話機２の面状ファスナー１６に係合させることにより、位置決め固定部１４を位置決め固定して以下の要領で使用される。
【００４５】
なお、上記位置決め固定に際しては、まず、折畳み式携帯電話機２の蓋体４を開いた使用状態において、図３に示すように、電磁波シールドカバー１を携帯電話機２の前面に重ね被覆させて、電磁波遮蔽板１２、１３が、携帯電話機２前面のボタン操作部６および液晶表示部９をそれぞれ正確に重ね被覆するように対向配置させる。続いて、この配置状態のままで、カバー本体１１端部の面状ファスナー１５を携帯電話機２背面の面状ファスナー１６に係合固定させることで、電磁波シールドカバー１の携帯電話機２に対する位置合わせが完了する。
【００４６】
Ａ．携帯電話機２の使用時：
（１）携帯電話機２の液晶表示部９を見たり、あるいは液晶表示部９を見ながらボタン操作部６を操作するに際しては、電磁波シールドカバー１つまりそのカバー本体１１を、位置決め固定部１４を固定支点として、図２(b)に二点鎖線で示すように、携帯電話機２の背面側へ折り曲げた状態にすることで、液晶表示部９に対する視認性およびボタン操作部６に対する操作性を確保することができる。
【００４７】
（２）携帯電話機２により通話するに際しては、上記カバー本体１１を、位置決め固定部１４を固定支点として、図３(a)、(b)に実線で示すように、携帯電話機２の前面側へ折り曲げて、携帯電話機２の前面に重ねることで、電磁波遮蔽板１２、１３がボタン操作部６および液晶表示部９をそれぞれ重ね被覆する状態となる。
【００４８】
この状態で、携帯電話機２を使用者の耳に押し当てて、つまり頭部に接触させた状態で通話使用すると、上記電磁波遮蔽板１２、１３が携帯電話機２と使用者の頭部との間に介在することになり、電話機本体３やアンテナ８から発生する電磁波は、上記電磁波遮蔽版１２、１３により確実に減衰されないしは遮断されて、使用者の頭部細胞組織に到達することはない。
【００４９】
また、カバー本体１１が柔軟性のある布生地から形成されていることから、使用者の肌に優しくて、使用感が心地よく、直接電話機２が接触する場合に比較して、快適な使用状態が得られるとともに、使用者の皮膚が直接的に電話機２に接触することによる汚れを防止する防汚機能も発揮し得る。
【００５０】
さらに、布生地からなるカバー本体１１は通気性があり、通話時におけるマイク７に対する音声入力や、スピーカ１０からの音声出力が阻害されることはない。
【００５１】
Ｂ．携帯電話機２の不使用時：
携帯電話機２を使用しない時は、図４に示すように、蓋体４を閉じて、携帯電話機２を折り畳むとともに、シールドカバー１つまりカバー本体１１を、この折り畳んだ携帯電話機２の外周に巻き付けて固定することにより、シールドカバー１が携帯電話機２の外周を被覆保護する保護カバーとして機能する。
【００５２】
以上のように、本実施形態の電磁波シールドカバー１によれば、カバー本体１１の内部に内装される電磁波遮蔽板１２、１３が導電性金属板そのもので構成されているから、その電磁波遮蔽効果が非常に強く、しかも、これら電磁波遮蔽板１２、１３は、上記カバー本体１１が携帯電話機２の前面に重ね被覆された時に、携帯電話機２の電磁波発生箇所（図示の場合はボタン操作部６と液晶表示部９）に対応位置するように構成されているから、携帯電話機２の通話中において、これら電磁波遮蔽板１２、１３が携帯電話機２と使用者の頭部との間に介在することになる。
【００５３】
これにより、電話機本体３やアンテナ８から発生する電磁波は、上記電磁波遮蔽版１２、１３により確実に減衰されないしは遮断されて、使用者の頭部細胞組織に到達することはなく、電磁波による精神的ストレス障害、視覚障害、皮膚障害あるいは脳腫瘍などが引き起こされる危険性が確実に回避される。
【００５４】
また、上記カバー本体１１は、携帯電話機２に位置決め固定される位置決め固定部１４を固定支点として、上記携帯電話機２の前面または背面に対して選択的に重ね被覆可能な構造とされているから、携帯電話機２の液晶表示部９を見たり、あるいは液晶表示部９を見ながらボタン操作部６を操作する際には、上記カバー本体１１を携帯電話機２の背面に重ねておくことができ、液晶表示部９の視認性およびボタン操作部６の操作性が極めて良好であり、これら視認性や操作性に基づく誤操作の危険性もまったくない。
【００５５】
さらに、カバー本体１１が携帯電話機２に対応した形状寸法を有する柔軟な薄板体の形態とされるとともに、このカバー本体１１の所定箇所が携帯電話機２に位置決め固定される位置決め固定部１４とされているから、携帯電話機２の種類や形状寸法のいかんに関わらず、上記位置決め固定部１４を、適用対象である携帯電話機２表面の最適な個所に位置決め固定することができる。
【００５６】
すなわち、本実施形態においては、折畳み式携帯電話機２に電磁波シールドカバー１を取付け使用した場合について説明しているが、液晶表示部９とボタン操作部６とが電話機本体に一体に設けられた一体式携帯電話機（後述する図９〜図１１参照）についても、上記位置決め固定部１４を、適用対象である携帯電話機２表面の最適な個所に位置決め固定することで取付け使用可能である。
【００５７】
実施形態２
本実施形態は図５〜図８に示されており、実施形態１における電磁波シールドカバー１の構成が若干改変されたものである。
【００５８】
すなわち、本実施形態の電磁波シールドカバー２１においては、カバー本体１１は、実施形態１と同様に、開放状態にある携帯電話機２の前面全体を重ね被覆するだけでなく、さらに携帯電話機２の背面全体も重ね被覆可能な長さ寸法を有している。具体的には、実施形態１のシールドカバー１の位置決め固定部１４に続いて、携帯電話機２の背面全体を被覆する部位２１ａが延長された構造とされている。
【００５９】
また、この延長された部位２１ａの電話機本体３に対応する箇所には、電磁波遮蔽板２２が内装されている。この電磁波遮蔽板２２は、前述の電磁波遮蔽板１２、１３と同様な構成とされ、上記電話機本体３の背面形状に対応した形状寸法の矩形状に形成されている。
【００６０】
しかして、このような構成とすることにより、電話機本体３の背面側に漏れる電磁波も、上記電磁波遮蔽版２２により確実に減衰されないしは遮断されて、使用者の手のひらの細胞組織に到達することが有効に防止され、より高い安全性が確保され得る。
【００６１】
また、携帯電話機２を使用しない時は、図８に示すように、蓋体４を閉じて、携帯電話機２を折り畳むとともに、シールドカバー２１つまりカバー本体１１を、この折り畳んだ携帯電話機２の外周に巻き付けて固定することにより、シールドカバー１が携帯電話機２の外周を完全に被覆保護する保護カバーとして機能することとなる。
その他の構成および作用は実施形態１と同様である。
【００６２】
実施形態３
本実施形態は図９〜図１１に示されており、電磁波シールドカバーの形状構成がさらに改変されたものであり、具体的には、本実施形態の電磁波シールドカバー３１は、液晶表示部９とボタン操作部６とが電話機本体３３に一体に設けられた一体式携帯電話機３２に好適な構造を備えてなる。
【００６３】
すなわち、本実施形態の電磁波シールドカバー３１においては、カバー本体１１が携帯電話機２の縦長さ寸法に対応した長さ寸法を有するとともに、携帯電話機３２のほぼ前面および背面全体を一側から挟むようにして、重ね被覆可能な幅寸法を有する矩形状薄板の形態とされている（図１１(a)、(b)参照）。この場合、シールドカバー３１は、携帯電話機３２のアンテナ８のある側を包み込んで被覆するように構成される。
【００６４】
また、カバー本体１１に内装される電磁波遮蔽板１２、１３は、図１１(a)において破線状のハッチングで示されるように、電磁波遮蔽板１２が、電話機本体３３のボタン操作部６に対応した形状寸法とされるとともに、電磁波遮蔽板１３が、蓋体４の液晶表示部９に対応した形状寸法とされている。
【００６５】
これに関連して、上記カバー本体１１における電磁波遮蔽板１２、１３の収納固定位置も、後述するようにカバー本体１１が携帯電話機２の前面に重ね被覆された状態において、図１１(a)において破線状のハッチングで示されるように、記電磁波遮蔽板１２、１３がそれぞれボタン操作部６と液晶表示部９をそれぞれ重ね被覆する位置に設定されている。
【００６６】
また、具体的には図示しないが、上記カバー本体１１の電話機本体３３背面に重ね被覆される部位にも、実施形態２の場合と同様に、電磁波遮蔽板２２が内装されても良い。
【００６７】
位置決め固定部１４は、カバー本体１１の所定箇所を携帯電話機２に位置決め固定する部位で、図示の実施形態においては、カバー本体１１の形状に対応して、その横方向一端部に設けられるとともに、携帯電話機２背面の片側部位に位置決め固定される構造とされている。
【００６８】
位置決め固定部１４の面状ファスナー１５が接着ないしは縫着固定されている。これに対応して、携帯電話機２の背面1側部つまり蓋体４背面の片側部位にも、面状ファスナー１５と対になって着脱可能に係合する面状ファスナー１６が接着固定されている。
【００６９】
なお、上記位置決め固定部１４は、カバー本体１１の横幅方向の寸法調整部としても機能し、カバー本体１１の横幅方向において、その面状ファスナー１５と携帯電話機２の面状ファスナー１６との係合位置を適宜調整することにより、図１１(a)および(b)に示すように、カバー本体１１が携帯電話機２の前面に重ね被覆された状態において、電磁波遮蔽板１２、１３が、携帯電話機３２前面のボタン操作部６および液晶表示部９をそれぞれ正確に重ね被覆するように対応位置させることができる。
【００７０】
また、本実施形態の電磁波シールドカバー３１にあっては、携帯電話機３２の不使用時においても、通話時と同じように、図１１(a)および(b)に示すごとく、カバー本体１１が携帯電話機３２をその一側から前後を挟むようにした形態とされて、携帯電話機３２の保護カバーとして機能する。
【００７１】
しかして、以上のように構成された電磁波シールドカバー３１は、位置決め固定部１４の面状ファスナー１５を携帯電話機２の面状ファスナー１６に係合させることにより、位置決め固定部１４を位置決め固定して以下の要領で使用する。
【００７２】
なお、上記位置決め固定に際しては、実施形態１で説明した場合と同様に、まず、図１１に示すように、電磁波シールドカバー３１を携帯電話機３２の前面に重ね被覆させて、電磁波遮蔽板１２、１３が、携帯電話機３２前面のボタン操作部６および液晶表示部９をそれぞれ正確に重ね被覆するように対向配置させる。続いて、この配置状態のままで、カバー本体１１を携帯電話機３２の背面側へ折り曲げて、その端部の面状ファスナー１５を携帯電話機３２背面の面状ファスナー１６に係合固定させることで、電磁波シールドカバー３１の携帯電話機３２に対する位置合わせが完了する。
【００７３】
Ａ．携帯電話機３２の使用時：
（１）携帯電話機３２の液晶表示部９を見たり、あるいは液晶表示部９を見ながらボタン操作部６を操作するに際しては、電磁波シールドカバー３１つまりそのカバー本体１１を、位置決め固定部１４を固定支点として、図１０(a)、(b)に示すように、平面状に開いた状態にすることで、液晶表示部９に対する視認性およびボタン操作部６に対する操作性を確保することができる。
【００７４】
（２）携帯電話機３２により通話するに際しては、上記カバー本体１１を、位置決め固定部１４を固定支点として、図１１(a)、(b)に示すように、携帯電話機２の前面側へ折り曲げて、携帯電話機２の前面に重ねることで、電磁波遮蔽板１２、１３がボタン操作部６および液晶表示部９をそれぞれ重ね被覆する状態となる。この状態で、携帯電話機２を使用者の耳に押し当てて、つまり頭部に接触させた状態で通話使用する。
【００７５】
Ｂ．携帯電話機２の不使用時：
携帯電話機２を使用しない時は、携帯電話機３２により通話する場合と同様に、上記カバー本体１１を、位置決め固定部１４を固定支点として、図１１(a)、(b)に示すように、携帯電話機３２の前後面を一側から挟むようにして、携帯電話機３２の外周を被覆保護する保護カバーとして使用する。
【００７６】
なお、上述した実施形態はあくまでも本発明の好適な実施態様を示すものであって、本発明はこれに限定されることなく、その範囲において種々の設計変更が可能である。一例として、以下に挙げられるような設計変更が可能である。
【００７７】
(1)  図示の実施形態１〜３の電磁波シールドカバー１、２１および３１においては、携帯電話機２、３２前面のボタン操作部６および液晶表示部９の両者をそれぞれ重ね被覆するように電磁波遮蔽板１２、１３が内装されているが、携帯電話機２、３２の種類（折畳み式または一体式）やアンテナ８設置箇所などによっては、いずれか電磁波の強く発生する箇所のみに対応位置するように電磁波遮蔽板１２、１３が設けられても良い。
【００７８】
例えば、実施形態１、２のような折畳み式携帯電話機２にあっては、アンテナ８が設けられている電話機本体３の部位から特に強い電磁波が発生することから、電話機本体３前面のボタン操作部６を重ね被覆する電磁波遮蔽板１２のみが設けられても良く、一方、実施形態３のような一体式携帯電話機３２にあっては、アンテナ８が設けられている電話機本体３の液晶表示部９の部位から特に強い電磁波が発生することから、この液晶表示部９を重ね被覆する電磁波遮蔽板１３のみが設けられても良い。
【００７９】
(2)  具体的には図示しないが、２枚の布生地１１ａ、１１ｂが積層形成されてなる上記カバー本体１１において、これら２枚の布生地１１ａ、１１ｂの間に、電磁波遮蔽板１２、１３および２２を収納する複数の収納ポケットが形成されて、これら複数の収納ポケットのいずれかに、電磁波遮蔽板１２、１３、２２が選択的にかつ取外し可能に収納される構造としてもよい。この場合、上記収納ポケットの挿入取出口はファスナー等の開閉手段により開閉可能な構造とされるのが望ましい。
【００８０】
このように電磁波遮蔽板１２、１３、２２を選択的にかつ取外し可能に収納できる構造を採用することにより、多種多様な携帯電話機２、３２に最適な電磁波遮蔽効果を電磁波シールドカバー１、２１，３１に付与することが可能となり、より汎用性に富む構造の電磁波シールドカバー１、２１，３１を提供することができる。
【００８１】
(3)  電磁波遮蔽体１２、１３は、図示の実施形態１〜３のように、薄板状の電磁波遮蔽板の形態とされるほか、具体的には図示しないが、蛇腹状に折り畳み可能に配された複数枚の短冊形電磁波遮蔽板からなる形態とされたり、あるいは、すだれ状に配された多数本の細径の電磁波遮蔽棒からなる形態（いずれの形態も図示のような板状のものに比較して、折り畳み可能で柔軟な構成）とされるなど、同様な電磁遮蔽機能を発揮し得る他の形態も採用可能である。
【００８２】
(4)  図示の実施形態１〜３においては、カバー本体１１の固定手段として、面状ファスナー１５〜１８が採用されているが、粘着テープ材（図示省略）やスナップ、ボタン等の留め具など、他の同様な機能を有する固定手段も適宜採用可能である。
【００８３】
(5)  上記固定手段１５〜１８の設置箇所も、図示のものに限定されず、例えば、実施形態２において、位置決め固定部１４に設けられる固定手段が、この位置決め固定部１４だけでなく、携帯電話機２背面全体を重ね被覆するカバー本体１１の部位全体に延びて設けられて、この部位全体が携帯電話機２背面に密着状に固定される構造とされてもよい。
【００８４】
(6)  図示の実施形態１および２においては、カバー本体１１が携帯電話機２の横幅寸法に対応した幅寸法を有する長尺な薄肉帯状体の形態とされており、具体的には、図示のごとく、カバー本体１１の幅寸法が上記携帯電話機２の横幅寸法とほぼ等しく設定されて、携帯電話機２を手指にて直接把持し得る構造とされているが、もちろん、目的に応じて、カバー本体１１の幅寸法がアンテナ８も被覆し得る大きさに設定されて、より完全な電磁波遮蔽効果が得られる構造とされても良い。
【００８５】
(7)  また、実施形態１および２において、対象となる携帯電話機２のアンテナ８が蓋体４の側部上端部に設けられている場合など、上記カバー本体１１と干渉する部位が携帯電話機２にあるときは、この部位に対応するカバー本体１１の箇所が切欠かれた形状とされて、互いに干渉しない構造とされてもよい（図示省略）。
【図面の簡単な説明】
【００８６】
【図１】本発明の実施形態１である携帯電話機用の電磁波シールドカバーを示し、図１(a)は使用対象となる折畳み式携帯電話機背面との配置関係を一部切開して示す正面図、図１(b)は側部断面図である。
【図２】同じく同電磁波シールドカバーを示し、図２(a)は折畳み式携帯電話機に取り付けた状態を示す正面図、図２(b)は側面図である。
【図３】同じく同電磁波シールドカバーを示し、図２(a)は折畳み式携帯電話機の通話時における使用状態を示す正面図、図３(b)は側面図である。
【図４】同じく同電磁波シールドカバーを示し、図２(a)は折畳み式携帯電話機の不使用時における使用状態を示す正面図、図４(b)は側面図である。
【図５】本発明の実施形態２である携帯電話機用の電磁波シールドカバーを示し、図５(a)は使用対象となる折畳み式携帯電話機背面との配置関係を一部切開して示す正面図、図５(b)は側部断面図である。
【図６】同じく同電磁波シールドカバーを示し、図６(a)は折畳み式携帯電話機に取り付けた状態を示す正面図、図６(b)は側面図である。
【図７】同じく同電磁波シールドカバーを示し、図７(a)は折畳み式携帯電話機の通話時における使用状態を示す正面図、図７(b)は側面図である。
【図８】同じく同電磁波シールドカバーを示し、図８(a)は折畳み式携帯電話機の不使用時における使用状態を示す正面図、図８(b)は側面図である。
【図９】本発明の実施形態３である携帯電話機用の電磁波シールドカバーを示し、図９(a)は使用対象となる一体式携帯電話機背面との配置関係を一部切開して示す正面図、図９(b)は側部断面図である。
【図１０】同じく同電磁波シールドカバーを示し、図１０(a)は一体式携帯電話機に取り付けた状態を示す正面図、図１０(b)は平面図である。
【図１１】同じく同電磁波シールドカバーを示し、図１１(a)は一体式携帯電話機の通話時および不使用時における使用状態を示す正面図、図１１(b)は側面図である。
【符号の説明】
【００８７】
１                      電磁波シールドカバー
２                      折畳み式携帯電話機
３                      電話機本体
４                      蓋体
６                      ボタン操作部（操作部）
７                      マイク
８                      アンテナ
９                      液晶表示部（表示部）
１０                    スピーカ
１１                    カバー本体
１２、１３              電磁波遮蔽板
１４                    位置決め固定部
１５                    面状ファスナー（固定手段）
１６                    面状ファスナー
２１                    電磁波シールドカバー
２２                    電磁波遮蔽板
３１                    電磁波シールドカバー
３２                    携帯電話機
３３                    電話機本体
【図１】
2005277586.tif 000003
【図２】
2005277586.tif 000004
【図３】
2005277586.tif 000005
【図４】
2005277586.tif 000006
【図５】
2005277586.tif 000007
【図６】
2005277586.tif 000008
【図７】
2005277586.tif 000009
【図８】
2005277586.tif 000010
【図９】
2005277586.tif 000011
【図１０】
2005277586.tif 000012
【図１１】
2005277586.tif 000013